(57)【要約】  本発明は、ビデオカメラ（１０）によって記録されたプレゼンター（１）のモニター画像（２０’）とカメラ画像（１００）であって、再生システム（４０）によって表示するためにミキサー（３４）内で重ね合わせられているモニター画像（２０’）とカメラ画像（１００）の再生システム（４０）による共同表示のためのプレゼンテーションシステムおよびプレゼンテーション方法に関する。モニター（２０）の前に位置するプレゼンター（１）のモニター画像（２００）を表示するために、表示画面を有するモニター（２０）であって、半透明型ミラー（２２）が表示画面の前に配置されており、ビデオカメラ（１０）が半透明型ミラー（２２）を介してミラーリングされたプレゼンター（１０）を検出するように配置されているモニター（２０）が提供される。プレゼンテーションシステムは、少なくとも１つのビデオカメラ（１０）が赤外線カメラであることを特徴とする。【選択図】図１
2021529466.tif 000002
【特許請求の範囲】
【請求項１】
少なくとも１つのビデオカメラ（１０）を使用して録画される、再生システム（４０）によるプレゼンター（１）のモニター画像（２００）とカメラ画像（１００）の共同表示のためのプレゼンテーションシステムであって、
前記モニター画像（２００）と前記カメラ画像（１００）が、前記再生システム（４０）による表示のためにミキサー（３４）内で重ね合わせられており、
前記モニター（２０）の前にいるプレゼンター（１）にモニター画像（２００）を表示するために、表示画面を有するモニター（２０）が設けられており、
部分透過型鏡（２２）が、表示画面の前に配置されており、
前記少なくとも１つのビデオカメラ（１０）が、前記部分透過型鏡（２２）を介して反射されるプレゼンター（１）を撮影するように配置されており、
前記少なくとも１つのビデオカメラ（１０）が赤外線カメラであることを特徴とする、プレゼンテーションシステム。
【請求項２】
前記部分透過型鏡（２２）が、表示画面に平行に表示画面上にフラットに配置されている、請求項１に記載のプレゼンテーションシステム。
【請求項３】
前記部分透過型鏡（２２）が、表示画面の保護ガラスとしてモニター（２０）に組み込まれている、請求項１または２に記載のプレゼンテーションシステム。
【請求項４】
前記部分透過型鏡（２２）が、タッチセンサー方式センサー面を有している、請求項１から３のいずれか一項に記載のプレゼンテーションシステム。
【請求項５】
偏光フィルターが、前記少なくとも１つのビデオカメラ（１０）の前に配置されている、請求項１から４のいずれか一項に記載のプレゼンテーションシステム。
【請求項６】
偏光子が、前記モニター（２０）の表示画面と前記部分透過型鏡（２２）との間に配置されている、請求項５に記載のプレゼンテーションシステム。
【請求項７】
前記偏光子が、表示画面全体一面にフラットに延びている偏光フィルターフィルム（２１）である、請求項６に記載のプレゼンテーションシステム。
【請求項８】
カラーフィルターまたは視野角フィルターが、前記モニター（２０）の表示画面と前記部分透過型鏡（２２）との間に配置されている、請求項１から４のいずれか一項に記載のプレゼンテーションシステム。
【請求項９】
リアルタイム画像処理が、前記カメラ画像（１００）を均一化することを可能にする画像処理ユニット（３３）を有する制御コンピューター（３０）を有しており、変更されたカメラ画像（３３０）が、前記ミキサー（３４）に中継される、請求項１から８のいずれか一項に記載のプレゼンテーションシステム。
【請求項１０】
前記変更されたカメラ画像（３３０）が、ネットワークを介して遠隔ミキサー（３４’）に中継される、請求項１から９のいずれか一項に記載のプレゼンテーションシステム。
【請求項１１】
前記遠隔ミキサー（３４’）が、前記再生システム（４０）として機能し、遠隔モニター（２０’）に接続されており、同様にさらなるプレゼンテーションシステムの一部である、請求項１０に記載のプレゼンテーションシステム。
【請求項１２】
少なくとも１つのさらなる鏡が、前記少なくとも１つのビデオカメラ（１０）と前記部分透過型鏡（２２）との間のビーム経路に配置されており、
前記プレゼンター（１）が、前記少なくとも１つのさらなる鏡を介して、そして前記部分透過型鏡（２２）を介して、前記少なくとも１つのビデオカメラ（１０）によって反射して撮影される、請求項１から１１のいずれか一項に記載のプレゼンテーションシステム。
【請求項１３】
さらなるカメラが提供および配置されており、プレゼンター（１）のカラー画像を録画するように配置されており、これに基づいて、前記カメラ画像（１００）および／または前記モニター画像（２００）の着色を行うことができる、請求項１から１２のいずれか一項に記載のプレゼンテーションシステム。
【請求項１４】
再生システム（４０）によって少なくとも１つのビデオカメラ（１０）を使用して録画されるモニター画像（２００）とカメラ画像の共同表示のためのプレゼンテーション方法であって、
表示画面を有するモニター（２０）が設けられており、前記モニター画像（２００）が、前記モニター（２０）の前にいるプレゼンター（１）に表示され、
少なくとも１つのビデオカメラ（１０）が、赤外線波長範囲のカメラ画像（１００）内のモニター（２０）の表示画面の前に配置される前記部分透過型鏡（２２）を介して反射されるプレゼンター（１０）を撮影し、
前記カメラ画像（１００）が、変更されたカメラ画像（３３０）を生成するために画像処理ユニット（３３）によってリアルタイムに処理されたり、前記モニター画像（２００）が、前記モニター（２０）上に表示される前に均一化されたりし、
前記モニター画像（２００）と前記変更されたカメラ画像（３３０）が、前記再生システム（４０）によって表示するためにミキサー（３４）内で重ね合わせられる、プレゼンテーション方法。
【請求項１５】
前記処理するステップにおいて、前記カメラ画像（１００）が歪められたり、縁取りおよび／または詳細拡大および／または位置補正および／または回転補正および／または反射が行われたりする、請求項１４に記載のプレゼンテーション方法。
【請求項１６】
前記処理するステップにおいて、前記カメラ画像（１００）が、さらなるカメラによって前記プレゼンター（１）のカラー画像を使用して着色される、請求項１４または１５に記載のプレゼンテーション方法。
【請求項１７】
前記再生システム（４０）が、さらなるプレゼンテーションシステムのモニター（２０’）を含む、請求項１４から１６のいずれか一項に記載のプレゼンテーション方法。
【発明の詳細な説明】
【技術分野】
【０００１】
本発明は、ビデオカメラを使用して録画される、再生システムによるプレゼンターのモニター画像とカメラ画像の共同表示のためのプレゼンテーションシステムであって、再生システムによる表示のためにモニター画像とカメラ画像が、ミキサー内で重ね合わせられるプレゼンテーションシステムに関する。モニターの前にいるプレゼンターにモニター画像を表示するために、表示画面を有するモニターが設けられており、部分透過型鏡が、表示画面の前に配置されており、少なくとも１つのビデオカメラが、部分透過型鏡を介して反射されるプレゼンターを撮影するように配置されている。本発明はさらに、ビデオカメラを使用して録画されるプレゼンターのカメラ画像を、再生システムを使用してモニター画像と一緒に表示するための方法に関する。
【背景技術】
【０００２】
より多くの聴衆の前のプレゼンテーションの場合に、プレゼンターは、しばしばビデオカメラを使用して録画され、ビデオカメラで撮影される画像は、再生システム、例えば付随投影スクリーンを有するプロジェクターを使用して表示される。典型的なプレゼンテーションまたは講義の状況では、プレゼンターは、例えば、テキストまたはグラフィックを含むモニター画像をしばしば参照する。モニター画像は、一般に、別々の再生システムを使用するコンピューター支援方式で、または上記の再生システムの背景ベース画像または前景ベース画像としてプレゼンターと一緒に講堂に表示される。
【０００３】
プレゼンターがモニター画像を参照するために再生システムに目を向けるときに、プレゼンターは聴衆に背を向けるため、聴衆との接触を失う。これを防ぐために、プレゼンターは、しばしば例えばラップトップの形態の、自分の前にあるさらなるモニターを使用するため、プレゼンターは、モニターの画像を自分で見ていると同時に、聴衆の方を向くことができる。しかし、プレゼンターがこのモニターを見ていると、カメラを同時に覗き込むことができないため、プレゼンターのイライラさせる表示がモニター画像と一緒に再生システムに生じる。この現象は、モニター画像が、静止しておらず、例えば、プレゼンテーション中にプレゼンターのモニター上のタッチスクリーン入力またはデジタル鉛筆の使用で変更または展開される場合に、特に明確に生じる。
【０００４】
同様の状況が、スタジオテレビ放送において、モニターが、一方では、カメラを覗き込むことを望み、他方では、例えば天気図のように、実際にプレゼンターの前後に配置されているか、または単に観客のためだけにオーバーレイされているものを指さすことになっている場合に生じる。
【０００５】
テレビ会議の状況も、それと同様であり、参加者は、モニター上で遠隔参加者の画像を見ていると同時に、モニターに隣接して配置されるカメラで録画される。参加者が、モニターを見ていると、対話者が見えるが、この人は、参加者が彼とアイコンタクトをとるという感覚を持っていない。対話者は、参加者がカメラを覗き込んだ場合にのみこの感覚を持ち、その場合に、今度は参加者が、モニター上で対話者を見ていない。
【０００６】
このようなプレゼンテーションシステムは、テレビ会議の範囲内で使用して、対話形式で文書を共同で処理することもできる。この場合に、プレゼンテーションシステムは、少なくとも２回提供され、カメラとモニターは、各会議参加者に関連付けられており、モニターは、少なくとも１人の他の会議参加者のカメラ画像の再生システムとして同時に使用される。アイコンタクトの欠如の問題もこの場合に生じる。
【０００７】
テレビ会議を行うための装置が、米国特許出願公開第２００４／０１９６３５９号明細書から知られており、そこでは、テレビ会議の参加者は、半透過型曲面鏡を介して対話者の画像を観察するが、彼を録画するカメラは、鏡の後ろに配置されており、鏡を通して少なくともユーザーの顔を録画する。
【０００８】
曲面鏡を使用することにより、モニターがカメラの光軸上にないように、モニターを参加者の前に横方向に配置することができるため、カメラの視点がプレゼンターの顔に合わせられない。それにもかかわらず、モニターの画像は、参加者にとってカメラの方向から来ているように見えるため、参加者は、モニターを見ているときにもカメラを覗き込む。しかし、この装置では、モニターは、参加者の方を向いていないため、参加者は、モニター上で、対話形式で行動できず、例えば、モニター上でタッチ機能を使用することも、デジタル鉛筆を使用してモニター上で行動することもできない。
【０００９】
独国特許出願公開第１１２０１０００１８１９号明細書は、プレゼンターが部分透過表示面の前に立ち、その裏側にモニター画像が投影され、それを通してプレゼンターがカメラで録画されるテレビ会議システムを説明しており、そこでは、本システムの構造サイズが、ここでは不利であり、これは、表示面上のモニター画像の背面投影の欠点である。
【００１０】
冒頭に記載したタイプのシステムは、米国特許第９，２７０，９３３号明細書から知られており、これは、参加者がモニター画像を見ているときに同時にカメラを覗き込むように撮影されるテレビ会議を可能にする。これは、モニターに反射面があり、ユーザーが、この面から反射されて、カメラで録画されるという点で実現される。カメラ録画でユーザーの画像をモニターの画像から分離することができるように、モニターは、定期的に繰り返される方法で一時的に暗く切り替えられ、暗スイッチング中は、カメラ録画のみが引き続き処理される。暗スイッチングの持続時間は、ユーザーのモニター画像がちらつくことがないように、ここでは十分に短く選択される。しかし、本システムには、カメラの録画時間が非常に短いため、高レベルのカメラ感度が必要であり、ノイズの入った画像が生じる可能性があり、または参加者が、まばゆいばかりになる可能性がある高光強度を使用して照明される必要があるという欠点がある。さらなる欠点は、既存のモニター、例えばラップトップの表示画面が、ハードウェアの介入なく、必要とされる矢継ぎ早に容易に暗く切り替えることができないため、本方法が、この目的のために別々に構成されるモニターシステムを使用してのみ行うことができるということである。
【先行技術文献】
【特許文献】
【００１１】
【特許文献１】米国特許出願公開第２００４／０１９６３５９号明細書
【特許文献２】独国特許出願公開第１１２０１０００１８１９号明細書
【特許文献３】米国特許第９，２７０，９３３号明細書
【発明の概要】
【発明が解決しようとする課題】
【００１２】
本発明の目的は、プレゼンターが、モニターを観察し、例えばデジタル鉛筆を使用してモニターの表面を対話形式で使用することもでき、同時に、プレゼンターが、モニターを見ているときにカメラを覗き込むことができるように、モニターで撮影することができる、冒頭に記載したタイプのコンパクトなプレゼンテーションシステムまたはプレゼンテーション方法を提供することである。この場合に、本システムは、そのハードウェアに介入しなくても、既存のモニターに簡単に後付けすることができるようにする必要がある。さらに、観客が、プレゼンターが表示画面上で見て指さしている場所を理解することができることが重要である。
【課題を解決するための手段】
【００１３】
この目的は、各独立請求項の特徴を有するプレゼンテーションシステムおよびプレゼンテーション方法によって実現される。有利な実施形態および改良は、従属請求項の主題である。
【００１４】
冒頭に記載したタイプの本発明によるプレゼンテーションシステムは、少なくとも１つのビデオカメラが赤外線カメラであるという点で区別される。
【００１５】
赤外線カメラを、好ましくはシーンすなわちプレゼンターの赤外線照明と組み合わせて使用することによって、カメラ画像内でモニター画像が生じないか、またはごくわずかな強度でしか生じない。同時に、モニターの観察者が自画像の反射にイライラしないため、観察者にとって最適な印象が得られる。この効果は、好ましくは赤外線を反射するが可視光を透過する表示画面フィルムなどをモニター上でさらに使用することによって、さらに強化することができる。そうでなければ、例えば、先行技術から知られているモニターの一時的な暗スイッチングの場合とは対照的に、モニターの変更は必要ではない。
【００１６】
赤外線カメラを使用しているため、プレゼンターとその周囲は、プレゼンターが光源自体や、光源の反射やモニター上の照明された周囲に邪魔されることなく、十分に照明することができる。アプリケーションの範囲では、赤外線カメラは、ビデオカメラとみなされ、赤外線波長範囲、すなわち約７８０ナノメートル（ｎｍ）を超える波長でのその強度は、可視光の範囲すなわち約４００ｎｍから７５０ｎｍの範囲の波長よりも大幅に高い。この感度分布は、例えば、ビデオカメラの対応するセンサーおよび／または前面に配置されるフィルターによって実現することができる。
【００１７】
モニターで反射されたプレゼンターが録画されるため、プレゼンターは、モニター上の情報項目とカメラの方向の両方を見る。プレゼンターは、モニターを通してビデオカメラで録画されないため、フラットでコンパクトな構造を有する典型的なモニターを使用することができる。
【００１８】
プレゼンテーションシステムの１つの有利な実施形態では、部分透過型鏡が、表示画面に平行に表示画面上にフラットに配置されている。それは、例えば、表示画面の保護ガラスとしてモニターに組み込むことができる。さらに、部分透過型鏡は、好ましくは、タッチセンサー方式センサー面を有しているため、モニターは、例えば、モニター上で、対話形式で描画するための「タッチスクリーン」として使用することができる。プレゼンテーションシステムは、その場合に、黒板または「ホワイトボード」として使用することができる。
【００１９】
プレゼンテーションシステムのさらなる有利な設計では、偏光フィルターが、少なくとも１つのビデオカメラの前に配置されている。この場合に、偏光フィルター、特に表示画面全体一面にフラットに延びている偏光フィルターフィルムが、モニターの表示画面と部分透過型鏡との間に配置されている。それに代替的に、その機能原理によって偏光を放射するモニターを使用することもできる。ビデオカメラの前にある偏光フィルターは、本来またはモニターの前に配置される偏光子によって偏光される光を遮断し、モニターから放射される光がビデオカメラに到達しないという効果を有する。したがって、プレゼンターが見ているモニター画像は、カメラ画像には表示されない。ビデオカメラと偏光子の前の偏光フィルターは、例えば、光の直線偏光を使用してモニター画像を隠す場合に、偏光面を交差させることができる。あるいは、モニター画像は、円偏光または楕円偏光を介して非表示にすることもできる。
【００２０】
それに代替のプレゼンテーションシステムの実施形態では、カラーフィルターまたは視野角フィルターが、モニターの表示画面と部分透過型鏡との間に配置されている。このように、モニター画像は、カメラ画像内でさらに抑制することもできる。時間領域内のモニター画像の追加の抑制も、例えば、モニター上の表示が、例えば、切り替え可能な鏡を介して、ストロボ効果的に行われるという点で可能である。モニター画像が表示されている間、ビデオカメラは、電子カメラシャッターによって電気的にオフになるか、またはモニター画像は、ビデオカメラの前に配置される切り替え可能な透過フィルターによって光学的に非表示である。
【００２１】
さらなる有利な実施形態では、画像処理ユニットを有する制御コンピューターを含み、これにより、リアルタイム画像処理がカメラ画像を均一化することができ、変更されたカメラ画像は、ミキサーに中継される。モニターに対するカメラの角度によって生じるカメラ画像の歪みは、再生システムでは、モニター画像とプレゼンターの両方が、相互に正しく配置されて再生されるように、画像処理ユニットによってリアルタイムに修正することができる。これは、プレゼンターが見ている、または指さしている出力画像から正しく推測することもできるように、プレゼンターがモニターを見ている、または指さしている場合に特に関連する。さらなる実施形態では、それに代替的または追加的に、プレゼンターが見ているモニター画像は、出力画像内の２つの画像（モニター画像とカメラ画像）の一致も、このように再び生じるように、事前に歪めることができる。
【００２２】
さらなる有利な実施形態では、プレゼンテーションシステムは、変更されたカメラ画像がネットワークを介して遠隔ミキサーに中継されるように設計されている。遠隔ミキサーは、好ましくは遠隔モニターに接続されている。プレゼンターから遠隔にあるこのモニターは、一方では、再生システムとして機能し、他方では、さらなるプレゼンテーションシステムの一部であるため、プレゼンテーションシステムは、テレビ会議システムとして使用することができる。
【００２３】
プレゼンテーションシステムのさらなる有利な実施形態では、少なくとも１つのさらなる鏡が、少なくとも１つのビデオカメラと部分透過型鏡との間のビーム経路に配置されており、プレゼンターは、少なくとも１つのさらなる鏡を介して、そして部分透過型鏡を介して、少なくとも１つのビデオカメラによって反射して撮影される。ビデオカメラの位置決めにおけるより大きな柔軟性は、少なくとも１つのさらなる鏡によって実現される。
【００２４】
プレゼンテーションシステムのさらなる有利な実施形態では、プレゼンターのカラー画像を録画するようにさらなるカメラが提供および配置されており、これに基づいて、カメラ画像および／またはモニター画像の着色を行うことができる。このように、天然色の再生を可能にするために、そうでなければ、プレゼンターの白黒またはグレースケールで再生される赤外線画像を再び着色することができる。さらなるカメラは、好ましくは、プレゼンターに直接向いている、すなわち、反射配置ではない。着色は、ここでは、アルゴリズムまたは人工知能、特に自己学習アルゴリズムを使用することができる。代替の実施形態では、さらなるカメラ画像の代わりに、静止カラー画像を使用することもでき、その色は、その場合に、赤外線動画に移る。
【００２５】
本発明によるプレゼンテーション方法では、少なくとも１つのビデオカメラが、赤外線波長範囲内のカメラ画像内でモニター画像が表示されるモニターの表示画面の前に配置される部分透過型鏡を介して反射されるプレゼンターを撮影する。その場合、カメラ画像が画像処理ユニットによってリアルタイムに変更されたり、モニター画像がモニター上のその表示の前に歪められたりする。歪められる可能性のあるモニター画像と変更されたカメラ画像が、再生システムで表示するためにミキサー内で重ね合わせられる。プレゼンテーションシステムと組み合わせて記載した利点が得られる。
【００２６】
プレゼンテーション方法の１つの有利な改良では、変更するステップにおいて、カメラ画像が歪められたり、縁取りおよび／または詳細拡大および／または位置補正および／または回転補正および／または反射が行われたりする。
【００２７】
プレゼンテーション方法のさらなる有利な改良では、再生システムは、さらなるプレゼンテーションシステムのモニターを含む。したがって、モニター画像およびそれと重ね合わされたプレゼンター（この場合は参加者と呼ばれる）の変更されたカメラ画像は、モニター上でモニター画像として表示され、これは、同様に、さらなるプレゼンテーションシステムの一部として、さらなる参加者によって使用される。そのカメラ画像は、２つのプレゼンテーションシステムの配置によりテレビ会議を行うことができるように、第１に記載した参加者のモニター画像に相当する方法で重ね合わされる。
【００２８】
本発明は、図を使用して、例示的な実施形態に基づいて、以下により詳細に説明される。
【図面の簡単な説明】
【００２９】
【図１】プレゼンテーション方法を行うためのプレゼンテーションシステムの概略図を示す図である。
【図２】図１に示されているプレゼンテーションシステムのいくつかのコンポーネントの配置の詳細を示す図である。
【図３】例えば図１のプレゼンテーションシステムを使用して行うことができるプレゼンテーション方法の概略図を示す図である。
【図４】テレビ会議を行うために設計されるプレゼンテーションシステムの概略図を示す図である。
【発明を実施するための形態】
【００３０】
図１は、概略ブロック図の形態の、本アプリケーションによるプレゼンテーションシステムの例示的な実施形態を示している。図２は、プレゼンテーションシステムの一部の相互の幾何学的配置およびプレゼンテーションシステムを使用するプレゼンターに対する幾何学的配置を示している。
【００３１】
プレゼンテーションシステムは、偏光フィルター１１が配置される光学ユニットの前にビデオカメラ１０（以下、カメラ１０とも呼ばれる）を含む。さらに、プレゼンテーションシステムは、表示画面（すなわち、表示面）上に、偏光子としての偏光フィルターフィルム２１と部分透過型鏡２２が配置されるモニター２０を含む。ビデオカメラ１０は、図示した例示的な実施形態では赤外線カメラであり、その感度は、可視範囲よりも赤外線範囲の波長でより大きい。
【００３２】
偏光フィルターフィルム２１と部分透過型鏡２２は、モニター２０の表示面と同様に平面である。
【００３３】
以下、より詳細に説明されるように、モニター２０自体が偏光を放射する場合に、偏光フィルターフィルム２１は、省略することができる。一般に、バックライト付きＬＣＤ（液晶表示）モニターは、偏光を放射する。対照的に、モニター２０は、自己照明技術に基づいて構築されており、例えば（おそらく有機）発光ダイオードを有する場合に、偏光フィルターフィルム２１が有利に使用される。
【００３４】
部分透過型鏡２２は、モニター２０の表示画面上に別々に配置することができるが、部分透過型鏡２２は、モニター２０の一体型コンポーネントであり得る。光が部分透過型鏡２２を通過することができることも部分透過型鏡２２に正面から入射する光の一部が反射されることも重要である。
【００３５】
図２は、カメラ１０とモニター２０の相互の配置およびプレゼンテーションシステムを使用するプレゼンター１に対する配置を示している。このプレゼンターは、有利にモニター２０によって出力される画像を観察することができるように、モニター２０の前の中央にいる。カメラ１０は、部分透過型鏡２２から反射されるプレゼンター１の画像がカメラ１０によって撮影されるように、プレゼンター１の上に傾斜して配置されている。アプリケーションの範囲では、「プレゼンター」は、プレゼンテーションシステムがどのような目的で使用されても、プレゼンテーションシステムのすべてのユーザーとして理解されるべきである。これらの用語では、テレビ会議の参加者または司会者も、「プレゼンター」とみなされる。プレゼンター１がモニター２０を見ている図示した観測角は、部分透過型鏡２２から反射されるプレゼンター１の画像を撮影することができるようにカメラ１０を配置および位置合わせすることができる限り、ここでは可変である。カメラ１０の後ろのオプションの暗い背景は、プレゼンター１のモニター２０上の反射を減らすため、読み取りを容易にする。
【００３６】
同様に、図１に見られるように、カメラ１０とモニター２０の両方が、制御コンピューター３０に接続されている。制御コンピューター３０は、モニター画像生成機３１、例えば、プレゼンテーション用の画像（「スライド」）を提供するプレゼンテーションプログラムを備えている。これらは、モニター２０に接続されており、モニター画像生成機３１によって出力される画像をモニター２０に表示する第１のグラフィックユニット３２（グラフィックカードとも呼ばれる）に中継される。図３は、モニター２０によって出力されるこのようなモニター画像２００を概略的に示している。モニター画像２００が、モニター画像生成機３１によって出力されるデータの形態で図１に示されている。
【００３７】
プレゼンター１は、自分の前のモニター２０上のモニター画像２００を見て、指２でモニター画像２００の要素を指さすか、または自分の目３をモニター画像２００の一部に向けることができる。
【００３８】
この間、プレゼンター１は、カメラ画像１００をリアルタイムに出力するカメラ１０によって撮影される。これは、図３にも示されている。図１では、カメラ画像１００は、カメラ１０から制御コンピューター３０に送信されるデータの形態で再び示されている。
【００３９】
モニター２０と部分透過型鏡２２に対して斜めにカメラ１０が配置されているため、カメラ画像１００に再現されたモニター２０の縁部２３は、例えば台形のように歪んでいる。しかし、部分透過型鏡２２から反射されるカメラ画像１００の一部は、反射の物理的性質によって歪められていない。さらに、カメラ画像１００は、部分透過型鏡２２から反射されるよりも大きな部分を含むことができる。
【００４０】
ビデオカメラ１０として赤外線カメラを使用するため、モニター画像は、カメラ画像１００では非表示である。モニター２０の観察者にとっての最適な印象は、暗闇においても、赤外線カメラとシーンの赤外線照明と、場合によってはさらに、好ましくは赤外線を反射するが可視光を透過するモニター２０上の表示画面フィルムとの組合せによって実現することができる。
【００４１】
ビデオカメラ１０として赤外線カメラを使用することによって、プレゼンター１とその周囲は、プレゼンター１が光源自体によって、または光源の反射またはモニター上の照明された周囲によって邪魔されることなく、十分に照明することができる。その場合、カメラ画像１００のカラー印象は、さらなるカメラを使用することによって実現することができ、これは、低いピクセル解像度でトゥルーカラー画像を作成する可能性がある。このトゥルーカラー画像は、例えば人工知能を使用して、モニター画像２００の同時着色に使用することができる。プレゼンター１の静止カラー画像は、カメラ画像１００を着色するためのカラーテンプレートとしても使用することができる。
【００４２】
カメラは、プレゼンター１に焦点合わせされる。これは、カメラ１０の被写界深度範囲が、一般に通常の周囲照明ではこんなに遠くまでは及ばないため、部分透過型鏡２２の平面内の要素がカメラ１０によって鮮明に撮影することができないという結果になる。したがって、モニター２０の画像は、ぼやけてしか表示されないため、カメラ１０が、それを可能な限り録画しない場合に有利である。
【００４３】
図示した例では、モニター画像２００をカメラ１０に到達させないように、偏光フィルター１１がカメラ１０の前にさらに配置されている。それは、本来または前面に配置される偏光フィルターフィルム２２によって偏光されるモニター２０によって放射される光がカメラ１０に到達するのではなく、むしろ偏光フィルター１１によって非表示になるように設定される。このため、プレゼンター１が見ているモニター画像２００は、カメラ画像１００では、さらに抑制されている。例えば、偏光フィルターフィルム２２が直線的に偏光する場合に、偏光フィルター１１が、偏光フィルターフィルム２２と偏光フィルター１１が相互に交差する偏光面を有するように位置合わせされる。
【００４４】
この配置の１つの改良では、反射偏光フィルムを使用することができ、これは、損失を最小限に抑えて偏光フィルターフィルム２２と部分透過型鏡２２の特性を組み合わせるため、偏光フィルターフィルム２２と部分透過型鏡２２の両方を形成する。
【００４５】
偏光フィルター１１と偏光フィルターフィルム２２との組合せの代わりに、視野角フィルターとも呼ばれる、表示画面に取り付けられた角度依存透過フィルターを使用して、モニター画像２００をカメラ画像１００から隠すことができる。
【００４６】
カメラ１０が、可能な限り鈍感であるか、または対応する上流フィルターによって鈍感にされる波長に対して、狭帯域カラーエミッターを有するモニター２０をさらに使用することもできる。
【００４７】
時間領域内のモニター画像２００の追加の抑制もまた、例えば、モニター２０上の表示が、例えば、切り替え可能な鏡を介して、ストロボ効果的に行われるという点で可能である。モニター画像２００が表示されている間、カメラ１０は、電子カメラシャッターによって電気的にオフになるか、またはモニター画像２０は、カメラ１０の前に配置される切り替え可能な透過フィルターによって光学的に非表示である。
【００４８】
カメラ１０は、制御コンピューター３０内で画像処理ユニット３３に接続され、これは、カメラ画像１００の変換をリアルタイムに行い、これを使用して、例えば、カメラ１０の配置に起因するモニター２０の縁部２３の台形歪みが補償される（図３参照）。これは、２つの画像が出力画像４００において一致し、出力画像４００の観察者が、プレゼンター１がモニター画像２００内でどの点を実際に見ているかまたは指さしているかを理解することができるように、カメラ画像１００をモニター画像２００と重ね合わせることに特に関連する。
【００４９】
カメラ画像１００の変更に代替的または追加的に、プレゼンターにとってのモニター２０上のモニター画像２００の再生は、出力画像４００上の２つの画像の一致が再び得られるように事前に歪めることができる。
【００５０】
カメラ画像１００のこの変更および／またはモニター２０上のモニター画像２００の再生は、カメラ画像１００内のプレゼンターの画像の分離が赤外線カメラを使用することによって行われるのではなくむしろ、例えば、カメラの録画段階においてモニター２０の暗スイッチングによって行われるプレゼンテーションシステムで使用することもできることに留意されたい。
【００５１】
オプションで、縁取りまたは詳細拡大および／または位置補正および／または回転補正および／またはミラーリングをさらに行うことができる。図３に見られるように、画像処理ユニット３３は、それに応じて、変更されたカメラ画像３３０を出力する。上記の同時着色は、画像処理ユニット３３で行うこともできる。
【００５２】
制御コンピューター３０はさらに、第２のグラフィックユニット３５（すなわち、さらなるグラフィックカード）を備えており、これに、モニター画像２００と変更されたカメラ画像３３０の両方が、ミキサー３４を介して供給される。ミキサー３４は、２つの画像を、おそらく調整可能な程度の明るさおよび／または透明度で重ね合わせる。モニター画像２００と変更されたカメラ画像３３０との重ね合わせが出力画像４００として表示される再生システム４０が、第２のグラフィックユニット３５に接続されている。
【００５３】
講義またはプレゼンテーションの場合に、再生システム４０は、例えば、プレゼンター１の後ろの投影面に出力画像４００を表示する投影システム（プロジェクター）であり得る。第２のグラフィックユニット３５は、追加的または代替的に、出力画像４００をデータフォーマットで送信（「流す」）または保存するように設計することもできる。
【００５４】
示されているプレゼンテーションシステムまたは図３と組み合わせて説明されているプレゼンテーション方法は、プレゼンター１がモニター画像２００を観察でき、それにもかかわらず、プレゼンター１の正面録画を出力画像４００で聴衆に提示することができるという利点を提供する。さらに、再生システム４０上の出力画像４００はモニター画像２００を示しているため、再生システム４０は、プレゼンテーション、正面に見えるプレゼンターに必要な、または目的の眺めと、プレゼンター１が参照する資料の両方を１つの画像に一体化する。
【００５５】
プレゼンター１がモニター画像２０の特定の点または領域に目３を留めるか、またはそれらを指で指さす場合に、対応する目の動きと位置合わせまたは方向指示も、出力画像４００上で分かる。したがって、プレゼンター１は、モニター画像２００に対して完全に自然に振る舞うため、プレゼンター１の焦点が現在向けられている場所を聴衆が理解するのは容易である。
【００５６】
上記のプレゼンテーションシステムの１つの改良では、部分透過型鏡２２は、タッチセンサー方式面を備えることができるため、制御コンピューター３０の入力素子として使用することができる。好ましくは、指２またはデジタル入力鉛筆（ここでは図示せず）を使用して操作することができる、容量的に動作するタッチセンサー方式面が提供される。
【００５７】
この設計では、プレゼンター１は、タッチスクリーンのように指でモニター２０を操作することができ、または対応する対話型プログラムが使用される場合に、モニター画像２００に影響を与えることができる。プレゼンテーションシステムは、プレゼンター１が、部分透過型鏡ひいてはモニター２０上にデジタル入力鉛筆を使用してマーキングを配置するか、または書き込むという点で、タブレットのように使用することができる。聴衆は、得られる「タブレット画像」と同時に、再生モニター４０上の正面図でプレゼンターを見る。
【００５８】
図１および図２に示されているプレゼンテーションシステムのさらなる変更では、カメラ１０は、人が表示画面の前の中央にいなくても、最適な画像印象を得るために、直接か、または鏡を介してかのいずれかで、動的に動かすことができる。
【００５９】
プレゼンテーションシステムのさらなる変更では、カメラ１０はまた、複数回実装することができ、例えば、横方向に取り付けることができ、そして各場合に、モニター２０上の反射を介してプレゼンター１を観察することができる。その場合、複数のカメラ１０の画像を組み立てて、１つの画像を形成することができ、これは、「仮想」カメラに由来するように見える。このような仮想カメラは、例えば３次元計算によって、他の方法ではアクセスできない位置に動かすことができる。本オプションは、赤外線カメラとして設計されている複数の、例えば２台のカメラ１０と組み合わせて可能である。その場合、これらのカメラ１０の画像は、好ましくは、第１に組み合わされて仮想カメラの画像を形成し、これは、その場合、仮想カメラは、追加のトゥルーカラーカメラの色情報項目に基づいて着色される。
【００６０】
図１および図２に示されているプレゼンテーションシステムのさらなる変更では、カメラ１０と部分透過型鏡２２との間に配置される少なくとも１つの追加の鏡によって、カメラ１０の位置決めのより大きな柔軟性を実現することができる。この鏡は、干渉を少なくするために、特に可視光を透過させることもできる。
【００６１】
例えば、ラップトップコンピューターのモニターをモニター２０として使用することが可能である。ラップトップコンピューターは、しばしば、ラップトップのユーザーに向いている、モニター２０の上の中央に配置されるカメラを有している。プレゼンターからモニター２０の平面の前とモニター２０の上に配置される傾斜した追加の鏡を使用して、プレゼンターの画像は、部分透過型鏡２２上で反射されるラップトップコンピューターの一体型カメラによって録画することができ、その場合、追加の鏡上で反射される。追加の鏡は、例えば、ラップトップの上縁で留めるクランプを有する小型の伸縮式マウントまたはグースネック型マウントを使用して配置することができるため、ラップトップコンピューターは、プレゼンテーションシステムのカメラ、モニター、および制御コンピューターを表している。
【００６２】
図１および図２に示されているプレゼンテーションシステムのさらなる変更では、可動性変形が、可能な、小型の、例えば無線カメラを使用することによってプレゼンターの本体に実装することができ、これにより、同様に、例えば、携帯電話やタブレットコンピューターのモニター上の反射を介して観察者が録画される。この場合に、遠近補正は、特定の状況下で、可変の幾何学的状況にリアルタイムに適応されるべきである。例えば、このために、モニターの輪郭を検出することができる。モニターとカメラとの間の適切な角度は、例えばサーボモーターによって手動または自動で追跡することができる。
【００６３】
２つの相互接続されたプレゼンテーションシステムの配置が、図１と同様の概略図で図４に示されている。同一の参照記号は、上記の図と同様に、この図の同一要素または等しく機能する要素を識別する。
【００６４】
図４の配置は、ここでは例として、２人の参加者のためのテレビ会議システムとして設計されている。したがって、プレゼンテーションシステムのコンポーネントは２回提供され、各々第１または第２の参加者に関連付けられている。第２の参加者に関連付けられているコンポーネントの参照記号には、区別しやすいようにアポストロフィが付いている。
【００６５】
本配置は、各参加者のためにその前に偏光フィルター１１、１１’を有するカメラ１０、１０’を含む。さらに、偏光フィルターフィルム２１、２１’と部分透過型鏡２２、２２’を有するモニター２０、２０’が、各参加者のために提供される。本配置の各部分はさらに、制御コンピューター３０、３０’を有し、そこでは、カメラ１０、１０’によって供給されるデータは、画像処理ユニット３３、３３’で処理されて、変更されたカメラ画像３３０、３３０’を形成する。カメラ１０、１０’とモニター２０、２０'の幾何学的配置に対して、図１および図２の実施形態が参照される。図４による配置の２つの部分の各々において、対応するカメラ１０、１０’は、モニター２０、２０’、特に部分透過型鏡２２、２２’を介して反射されるプレゼンター（この例示的な実施形態では参加者と呼ばれる）の画像を録画する。
【００６６】
上記の例示的な実施形態とは対照的に、この場合に、変更されたカメラ画像３３０、３３０’は、ミキサー３４を介して第２のグラフィックユニット３５に送信されるのではなく、むしろネットワークインターフェース３６を介して本配置の第２の部分のミキサー３４’に送信される。変更されたカメラ画像は、そこで、モニター画像生成機３１’によって提供されるモニター画像２００と共に、モニター画像２００と変更されたカメラ画像３３０との重ね合わせを第２の参加者に表示するために、モニター２０’に送信する第１のグラフィックユニット３２’に供給される。したがって、第２の参加者のモニター２０’は、この例示的な実施形態では、再生システム４０（図１参照）を形成する。モニター２０、２０’の全体、または各場合に、例えば窓の形態のその一部が、再生システムとして使用することができる。
【００６７】
逆に、第２の領域のカメラ画像１００’は、画像処理ユニット３３’によって均一化され、ネットワークインターフェース３６’を介して第２の参加者の変更されたカメラ画像３３０’として第１の参加者の制御コンピューター３０に送信される。ここでも、モニター画像生成機３１によって提供されるモニター画像２００との重ね合わせがミキサー３４内で行われる。重ね合わせられた画像は、第１の参加者のモニター２０の第１のグラフィックユニット３２を介して出力される。モニター画像生成機３１、３１’は、好ましくは、両方の場合に、同じモニター画像２００が各変更されたカメラ画像３３０、３３０’と混合されるように、両方の制御コンピューター３０、３０’内で同期される。このように、２つの相互接続されたプレゼンテーションシステムが形成され、一方のシステムのモニター２０、２０’は、他方のシステムの再生システムとしても機能する。
【００６８】
上記の方法によって、２人の参加者の各々は、モニター画像２００と対話者すなわち各他の参加者をモニター２０上に見ている。したがって、両方の参加者は、タッチセンサー方式のモニター２０、２０’を使用すると、モニター画像２００を同時に見て、場合によってはそれを処理することができる。さらに、カメラ１０、１０’またはモニター２０、２０’を適切に位置合わせすると、両方の参加者が互いをアイコンタクトで見ている。
【００６９】
２つのモニター画像生成機３１、３１’の同期は、図４では破線矢印で表されている。このように制御コンピューター３０、３０’間に示されている合計３つの接続が、単一のネットワーク接続によって形成されていることは明らかである。しかし、もちろん、この場合に、より迅速に変化するカメラ画像１００、１００’を考慮に入れるために、変更されたカメラ画像３３０、３３０’とモニター画像２００の同期情報項目は、種々のデータ速度と待ち時間で送信することができる。
【００７０】
図４の図とは対照的に、変更されたカメラ画像３３０、３３０’とモニター画像２００との混合は、各他の制御コンピューター３０、３０’への送信が行われる前に、各制御コンピューター３０、３０'で行うこともできる。
【符号の説明】
【００７１】
１            プレゼンター
２            指
３            目
１０、１０'  ビデオカメラ
１００        カメラ画像
１１、１１'  偏光フィルター
２０、２０'  モニター
２００  モニター画像
２１、２１'  偏光フィルターフィルム
２２、２２'  部分透過型鏡
２３            縁部
３０、３０'  制御コンピューター
３１、３１'  モニター画像生成機
３２、３２'  第１のグラフィックユニット
３３、３３'  画像処理ユニット
３３０      変更されたカメラ画像
３４、３４'  ミキサー
３５          第２のグラフィックユニット
３６、３６'  ネットワークインターフェース
４０          再生システム
４００        出力画像
【図１】
2021529466.tif 000003
【図２】
2021529466.tif 000004
【図３】
2021529466.tif 000005
【図４】
2021529466.tif 000006
【国際調査報告】
2021529466.tif 000007
2021529466.tif 000008
2021529466.tif 000009
2021529466.tif 000010